(57)【要約】【課題】柔軟な発泡樹脂シートからなる緩衝用容器と保形性のある発泡樹脂シートからなる支持容器とよりなる果実包装用容器として、収納凹部の弾力性を抑制しないようにして果実の保護を良好になすことができるようにする。【解決手段】支持容器２０には、緩衝用容器２０の周縁部１３を受ける側壁部２３と、緩衝用容器１０の収納凹部１１の列間の部分を支持する突出支持部２２とを設け、突出支持部２２に非凹設部分１２もしくはその近傍の一部個所を受ける頂部２２ａを設けるとともに、少なくとも一つの頂部２２ａ−１を横長に形成し、頂部２２ａによる支持状態において前記緩衝用容器の前記収納凹部列に沿う方向の動きを規制できるようにする。【選択図】図３
2010064761.tif 000002
【特許請求の範囲】
【請求項１】
弾力性を有する柔軟な発泡樹脂シートから成形され、果実を１つずつ収納できる収納凹部が複数列に形成されてなる緩衝用容器と、前記緩衝用容器に比して保形性のある合成樹脂シートから成形され、前記緩衝用容器を受支するトレー形状の支持容器とからなる果実包装用容器であって、
前記支持容器は、前記緩衝用容器の周縁部を受ける側壁部を有するとともに、前記緩衝用容器の収納凹部列間に対応する内方部の個所に該収納凹部列間の部分を支持する突出支持部が形成されてなり、該突出支持部は、前記収納凹部列に沿う方向に間隔をおいて複数個所に、前記収納凹部列間における非凹設部分もしくはその近傍の一部個所を受ける頂部が形成されるとともに、該複数の頂部のうちの少なくとも一つの頂部が横長に形成されており、該頂部による支持状態において前記緩衝用容器の前記収納凹部列に沿う方向の動きを規制できるように設けられてなることを特徴とする果実包装用容器。
【請求項２】
前記支持容器の突出支持部が、前記緩衝用容器の収納凹部列間の部分に対応して該収納凹部列に沿う方向に連続して形成され、該突出支持部の長手方向に間隔おいて複数個所に前記収納凹部列間の非凹設部分もしくはその近傍の一部個所を受ける頂部が形成されてなる請求項１に記載の果実包装用容器。
【請求項３】
前記緩衝用容器は、収納凹部が複数個ずつ縦３列で、前記収納凹部列間に非凹設部分を有するとともに、該非凹設部分もしくはその近傍の一部個所が前記突出支持部の頂部と対応位置するように各収納凹部が配置形成されてなる容器であり、収納凹部の数を異にする少なくとも２種の容器が、前記支持容器に対して選択的に組み合わせ使用可能である請求項１又は２に記載の果実包装用容器。
【請求項４】
前記２種の緩衝用容器は、収納凹部が４個ずつの縦３列で配置形成された１２個詰めの容器と、収納凹部が５個ずつの縦３列で配置形成された１５個詰めの容器であり、前記支持容器には、前記各収納凹部列間に対応する２列の突出支持部が形成されるとともに、各突出支持部それぞれの長手方向に間隔をおいて複数個所に、前記収納凹部列間の非凹設部分もしくはその近傍の一部個所を受ける頂部が形成されてなる請求項３に記載の果実包装用容器。
【発明の詳細な説明】
【技術分野】
【０００１】
本発明は、主として苺や枇杷、無花果等の果実を１個ずつ個装状態にして包装するための果実包装用容器に関するものである。
【背景技術】
【０００２】
従来より、苺等の果実、中でも進物用等に使用される比較的大粒の苺の包装用容器としては、苺の表面が比較的柔らかくて他物と当接した部分から傷みが生じ易いことから、弾力性を有する柔軟な発泡樹脂シートから成形された緩衝用の第１の容器と、該容器を受支できるように保形性のある合成樹脂シートから成形された支持用の第２の容器とを組み合わせた果実包装用容器が知られている。
【０００３】
例えば、特許文献１（実開昭６１−１４４０７０号公報）及び特許文献２（実開昭６２−３４６５号公報）には、苺等の果実を個装状態に収納できる複数の収納凹部が形成された柔軟な発泡樹脂シートからなる緩衝用の容器と、前記収納凹部を嵌合して支持する保持用凹部が形成された非発泡の合成樹脂製シートからなる支持用の容器とを組み合わせた衝撃吸収性容器が提案されている。特許文献２の場合、非発泡の合成樹脂シートからなる支持用の容器には果実の上部を覆う蓋体も一体に連設されている。
【０００４】
前記提案のいずれの容器の場合も、柔軟な発泡樹脂シートよりなる緩衝用の容器の収納凹部を、支持用の容器の保持用凹部に嵌合して吊り下げ状態に支持するものであるが、前記支持用の容器が比較的硬質の非発泡の合成樹脂シートよりなるものであって、殆ど緩衝効果を期待できないものであり、そのため、前記緩衝用の容器の収納凹部が前記保持用凹部に嵌合して周側面が接した状態になると、柔軟な発泡樹脂シートの弾力性が抑えられることになり、該収納凹部に収納される苺等の果実の種類によっては、緩衝効果が損なわれる虞がある。また、前記緩衝用の容器の収納凹部と支持用の容器の保持用凹部とが全周にわたって嵌合することで、柔軟な発泡シートの収納凹部の弾力的な動きや膨らみ変形が規制されることになって、収納される果実の形状や大きさのバラつきに対応できない場合がある。
【０００５】
さらに、前記支持用の容器は、前記緩衝用の容器における各収納凹部を、それぞれに対応する保持用凹部に嵌合して支持するものであるため、前記緩衝用の容器と支持用の容器は、一つの組み合わせでしか使用できないものであり、果実の詰め合わせの個数が変化すれば、その個数に応じた前記第１の容器と第２の容器とを共に準備する必要があり、この種の包装用容器のコスト高の一因となっている。
【特許文献１】実開昭６１−１４４０７０号公報
【特許文献２】実開昭６２−３４６５号公報
【発明の開示】
【発明が解決しようとする課題】
【０００６】
そこで、本発明者らは、果実を１個ずつ個装できる緩衝用容器とこれを受ける支持容器との組み合わせからなる果実包装用容器において、支持容器の構造を工夫し、緩衝用容器の収納凹部列間の非凹設部分の個所を受ける突出支持部を部分的に設けて、前記緩衝用容器の収納凹部の弾力的な膨らみ変形や弾力性を抑制しないようにして受支することとしたものであるが、この場合、前記突出支持部が部分的に設けられることで、両容器を組み合わせて緩衝用容器を支持容器の突出支持部により受支した状態においては、上側の緩衝用容器が前記収納凹部列に沿う方向に動き易く、特に収納凹部の深さが浅いものほど動き易く、位置ずれが生じて支持状態が不安定になり、ひいては収納した果実の保護効果を損なう虞がある。
【０００７】
本発明は、前記の問題をも解決して、支持容器の上に組み合わされる緩衝用容器を、収納凹部列方向のずれ動きの虞のない安定性のよい支持状態を保持できる構造の果実包装用容器を提供するものであり、さらに、前記の支持構造を確保しながら、１種の支持容器に対して収納凹部の個数を異にする少なくとも２種の緩衝用容器を選択的に組み合わせ使用できるようにして、果実包装コストの低減にも寄与できる果実包装用容器を提供するものである。
【課題を解決するための手段】
【０００８】
上記の課題を解決する本発明は、弾力性を有する柔軟な発泡樹脂シートから成形され、果実を１つずつ収納できる収納凹部が複数列に形成されてなる緩衝用容器と、前記緩衝用容器に比して保形性のある合成樹脂シートから成形され、前記緩衝用容器を受支するトレー形状の支持容器とからなる果実包装用容器であって、前記支持容器は、前記緩衝用容器の周縁部を受ける側壁部を有するとともに、前記緩衝用容器の収納凹部列間に対応する内方部の個所に該収納凹部列間の部分を支持する突出支持部が形成されてなり、該突出支持部は、前記収納凹部列に沿う方向に間隔をおいて複数個所に、前記収納凹部列間における非凹設部分もしくはその近傍の一部個所を受ける頂部が形成されるとともに、該複数の頂部のうちの少なくとも一つの頂部が横長に形成されており、該頂部による支持状態において前記緩衝用容器の前記収納凹部列に沿う方向の動きを規制できるように設けられてなることを特徴とする。
【０００９】
この果実包装用容器によれば、その使用において、果実を個装状態に収納する柔軟な発泡樹脂シートからなる緩衝用容器が、保形性のある合成樹脂シートからなる支持容器により支持される。すなわち、前記緩衝用容器は、その周縁部が前記支持容器の側壁部により受支されるとともに、内方部における収納凹部以外の非凹設部分もしくはその近傍の複数個所で前記支持容器に有する突出支持部の複数の頂部により支持される。
【００１０】
かかる支持状態においては、前記突出支持部が前記緩衝用容器の収納凹部列間で該収納凹部の外側面に接触するだけであり、該突出支持部が前記収納凹部の弾力性を抑制することがなく、また素材の弾力性を利用した膨らみや変位、特に収納凹部列に沿う方向の弾力的な変位を規制することがなく、輸送中の振動や衝撃に対して良好な緩衝効果を発揮できる。また、収納される果実の大きさや形状のバラつきにも収納凹部の柔軟弾性により対応できる。
【００１１】
しかも、前記支持容器の突出支持部に有する複数の頂部のうちの少なくとも一つの頂部が横長に形成されているため、この横長の頂部が前記緩衝用容器の非凹設部分の一部個所に当接して支持した状態において非凹設部分以外の個所に対して収納凹部列に沿う方向に係止した状態になって、前記緩衝用容器の収納凹部列に沿う方向の動きを規制でき、該緩衝用容器を安定性よく所定の位置に保持できる。
【００１２】
前記の果実包装用容器において、前記支持容器の突出支持部が、前記緩衝用容器の収納凹部列間の部分に対応して該収納凹部列に沿う方向に連続して形成され、該突出支持部の長手方向に間隔おいて複数個所に前記収納凹部列間の非凹設部分もしくはその近傍の一部個所を受ける頂部が形成されてなるものとすることができる。これにより、前記緩衝用容器の前記突出支持部と交差する方向の動きを該突出支持部により規制でき、該緩衝用容器をさらに安定性よく支持できる。
【００１３】
また、前記緩衝用容器は、収納凹部が複数個ずつ縦３列で、前記収納凹部列間に非凹設部分を有するとともに、該非凹設部分の一部個所が前記突出支持部の頂部に対応位置するように各収納凹部が配置形成されてなる容器であり、収納凹部の数を異にする少なくとも２種の容器が、前記支持容器に対して選択的に組み合わせ使用可能であるものとすることもできる。この場合、一種の前記支持容器を果実の詰め合わせの個数の違うものに共通に使用できるため、支持容器の成形上の種別が少なくて済み、該支持容器の成形コストを抑えることができ、緩衝用容器と支持容器とによる果実包装用容器のコスト低減に寄与できる。
【００１４】
さらに、前記２種の緩衝用容器は、収納凹部が４個ずつの縦３列で配置形成された１２個詰めの容器と、収納凹部が５個ずつの縦３列で配置形成された１５個詰めの容器であり、前記支持容器には、前記各収納凹部列間に対応する２列の突出支持部が形成されるとともに、各突出支持部それぞれの長手方向に間隔をおいて複数個所に、前記収納凹部列間の非凹設部分もしくはその近傍の一部個所を受ける頂部が形成されてなるものとすることができる。これにより、１種の支持容器を、１２個詰めの緩衝用容器及び１５個詰めの緩衝用容器のいずれにも使用できる。
【発明の効果】
【００１５】
上記したように、本発明の果実包装用容器は、果実を個装状態に収納する収納凹部を有する柔軟な発泡樹脂シート製の緩衝用容器と、保形性のある発泡樹脂シート性の支持容器とを組み合わせたものにおいて、柔軟な前記緩衝用容器を支持容器により収納凹部列に沿う方向の動きの虞なく安定性よく支持できる。しかも、果実を収納する収納凹部の弾力性を良好に保持き、かつ輸送中の振動に伴う弾力的な膨らみ変形も許容でき、収納される果実の保護を良好になすことができ、また、果実の大きさや形状のバラつきにも容易に対応できる。
【００１６】
さらに、１種の支持容器に対して収納凹部の数を異にする少なくとも２種の緩衝用容器を選択的に組み合わせ使用できる構成とすることにより、支持容器の成形上の種別が少なくて済み、該支持容器の成形コストを抑えることができ、緩衝用容器と支持容器とによる果実包装用容器のコスト低減に寄与できる。
【発明を実施するための最良の形態】
【００１７】
次に本発明の実施の形態を図面に示す実施例に基づいて説明する。
【００１８】
図１は本発明の果実包装用容器の実施例を示す緩衝用容器と支持容器とを分離した斜視図、図２は同上の１２個詰めの緩衝用容器と支持容器の平面図、図３は１２個詰めの緩衝用容器を支持容器に重ねた状態の一部を欠截した平面図、図４は図３のIV−IV線の断面図、図５は図３のV−V線の断面図、図６は図３のVI−VI線の断面図、図７は１５個詰めの緩衝用容器の斜視図、図８は同緩衝用容器を支持容器に重ねた状態の一部を欠截した平面図、図９は図７のIX−IX線の断面図である。
【００１９】
本発明の果実包装用容器Ａは、弾力性を有する柔軟な発泡樹脂シートから真空成形等の成形手段により成形され、包装対象の果実Ｂを一つずつ個装状態に収納できる複数の収納凹部１１が複数列に形成されてなる緩衝用容器１０と、前記緩衝用容器１０に比して保形性のある合成樹脂シートから真空成形等の成形手段により成形され、前記緩衝用容器１０を外形を合わせて受支するトレー形状の支持容器２０とからなる。図示する実施例は、包装対象の果実Ｂが比較的大粒の苺である場合を示している。
【００２０】
前記緩衝用容器１０の各収納凹部１１は、収納される果実Ｂに対応した任意の形状、大きさ、深さに形成される。例えば、前記果実Ｂが苺の場合は、平面が苺の形態に対応した変形楕円形状で底部が丸みの有る凹部をなすように凹設されている。
【００２１】
図１〜図６の実施例において、前記緩衝用容器１０は、収納される果実Ｂの苺に対応した形状の収納凹部１１が４個ずつの縦３列で形成された１２個詰めの容器１０Ａであり、図のように、各列の変形楕円形状の収納凹部１１が、縦方向に対して斜め方向をなして並列して凹設され、両側の収納凹部列ａ，ａと中央の収納凹部列ｂとの各列間に、ある程度の面積を持った非凹設部分１２を残すように形成されている。図の場合、各列二つずつの計４つの収納凹部１１により囲まれた六つの非凹設部分１２が縦横に間隔をおいて形成されている。前記非凹設部分１２は、前記各収納凹部列ａ，ｂ間の間隔によっては縦方向に連続して形成される場合もある。
【００２２】
前記支持容器２０は、外形が前記緩衝用容器１０と対応した形状をなし、前記緩衝用容器１０の周縁部１３を受ける側壁部２３を有するとともに、前記緩衝用容器１０の収納凹部列ａ，ｂ間に対応する内方部の個所に、該収納凹部列ａ，ｂ間の部分を支持する突出支持部２２が底面２１から上方向きに突出して形成されている。この突出支持部２２には、前記収納凹部列に沿う方向（縦方向）に間隔をおいて複数個所に、前記収納凹部列ａ，ｂ間における前記非凹設部分１２のもしくはその近傍の一部個所を受ける頂部２２ａが形成されている。これにより、前記緩衝用容器１０を内方部の複数個所で受支できるとともに（図３）、この受支状態において前記収納凹部１１を支持容器２０の底面２１から浮かせて支持でき、かつ前記収納凹部１１の縦方向の弾力的な変位を許容できるようになっている（図４〜図６）。
【００２３】
さらに、前記突出支持部２２における複数の頂部２２ａのうちの少なくとも一つの頂部２２ａ−１が横長に形成されており、前記緩衝用容器１０の支持状態において、該頂部２２ａ−１が前記収納凹部１１の側部に対し係止状態になることで、該緩衝用容器１０の収納凹部列に沿う縦方向の動きを規制できるように設けられている（図４〜図６）。他の長部２２ａは縦長に形成されて収納凹部列ａ，ｂ間に嵌り込み易くなっている。
【００２４】
前記突出支持部２２の各頂部２２ａは円弧状の丸みがつけられており、前記緩衝用容器１０が柔軟な発泡樹脂シート製であることもあって、前記頂部２２ａが前記比凹設部分１２に対してずれた位置において問題なく受支できるようになっている。
【００２５】
図の場合、前記緩衝用容器１０における各収納凹部列ａ，ｂ間の各三つの非凹設部分１２の配置に合わせて、支持容器２０に緩衝用容器１０を組み合わせた状態において、前記三つの各非凹設部分１２の一部個所と対応する位置の３個所に、前記突出支持部２２の頂部２２ａが設けられており、各頂部２２ａにより前記非凹設部分１２の一部個所を受けるように形成されている。
【００２６】
前記突出支持部２２は、緩衝用容器１０の収納凹部１１の個数や列数によっても異なるが、必ずしも図のように各収納凹部列間に設ける必要はなく、また、前記各頂部２２ａ，２２ａ１についても、必ずしも図のように各収納凹部列間の非凹設部分１２の各個所に対応して設ける必要がなく、前記緩衝用容器１０の内方部を支持できるものであれば、１個所、好ましくは２個所以上の突出支持部２２の個所に頂部２２ａを設けて、該頂部２２ａの少なくとも一つを図のように横長に形成して実施することができる。
【００２７】
また、前記突出支持部２２としては、各頂部２２ａ毎に独立して形成しておくことも可能であるが、該突出支持部２２にリブ的補強効果を持たせるために、図のように、少なくとも縦横の１方向（図は縦方向）に連続させて形成しておくのが好ましい。特に、相対向する側壁部２３に連なって形成されることで前記リブ的補強効果が大きくなる。
【００２８】
本発明の果実包装用容器Ａは、前記支持容器２０の突出支持部２２及び頂部２２ａを利用して、緩衝用容器１０が１５個詰めの容器１０Ｂである場合にも、前記と同じ支持容器２０と組み合わせ使用できるように設けられている。
【００２９】
例えば、図７〜図９における緩衝用容器１０は、外形が前記１２個詰めの容器１０Ａと同形で、かつ前記１２個詰めの容器１０Ａの収納凹部１１よりやや小さい収納凹部１１が、５個ずつの縦３列で縦方向に対して平面形状を斜めにして並列するように形成された１５個詰めの容器１０Ｂであり、両側の収納凹部列ａ，ａと中央の収納凹部列ｂとの各列間に、それぞれ４つずつの非凹設部分１２が間隔をおいて形成されている。そして、前記収納凹部列ａ，ｂの間隔は、前記１２個詰めの容器１０Ａの場合と同間隔とされ、１２個詰めの容器１０Ａの場合と同じ前記支持容器２０を用いることにより、前記緩衝用容器１０の収納凹部列ａ，ｂ間を前記突出支持部２２により支持でき、かつ該突出支持部２２に有する頂部２２ａにより前記非凹設部分１２もしくはその近傍の一部個所を受けることができるように形成されている。
【００３０】
特に、前記１２個詰めの容器１０Ａと前記１５個詰めの容器１０Ｂとは、収納凹部１１の数及び大きさが異なることで、前記非凹設部分１２の位置がずれて形成されることになり、例えば、縦方向両端に近い非凹設部分１２が一部重なる位置にあっても、内方位置の非凹設部分１２の位置がずれることになるので、これを考慮して、前記突出支持部２２  の頂部２２ａは、端部に丸みを付けたり、あるいは横長の頂部２２ａ−１以外の頂部２２ａの高さを若干低くして、前記非凹設部分１２の近傍の個所でも受支できるように形成しておく。
【００３１】
これにより、前記１５個詰めの容器１０Ｂについても、該突出支持部２２の頂部２２ａにより前記非凹設部分１２もしくは祖の近傍の一部個所を受支できる（図８、図９）。すなわち、前記支持容器２０は、前記１２個詰めと１５個詰めの２種の容器１０Ａ，１０Ｂに使用できるようになっている。言い換えれば、前記１２個詰めと１５個詰めの２種の容器１０Ａ，１０Ｂは、それぞれ同一形状をなす前記支持容器２０に対して選択的に組み合わせ使用できるようになっている。
【００３２】
なお、前記１２個詰めと１５個詰めの２種の容器１０Ａ，１０Ｂ以外の収納凹部１１の数を異にする緩衝用容器についても、前記同様に、複数列の収納凹部列間に形成される非凹設部分もしくはその近傍の少なくとも一部個所を、前記支持容器２０の突出支持部２２の頂部２２ａにより受けることできるものであれば、前記同様に同一の支持容器２０と組み合わせ使用できることになる。
【００３３】
上記の緩衝用容器１０に使用する柔軟な発泡樹脂シートとしては、ポリエチレン系樹脂、ポリプロピレン系樹脂、及びオレフィンを主体とする共重合体等のポリオレフィン系樹脂その他の軟質の合成樹脂の発泡シートが用いられる。中でも、柔軟性があって靱性もあるポリエチレン系樹脂の発泡シートが好適に用いられる。ポリエチレン系樹脂の発泡シートの場合、包装対象の果実の種類や収納する個数によっても異なるが、通常、発泡倍率１５〜５０倍、厚み０．５〜５ｍｍのものが用いられる。
【００３４】
また、前記支持容器２０に使用する保形性のよい合成樹脂シートとしては、ポリスチレン及びスチレンを主体とする共重合体等のポリスチレン系樹脂、ポリ塩化ビニル樹脂、ポリエチレンテレフタレート等のポリエステル系樹脂等の硬質の合成樹脂シート、あるいは適度に弾力性があって緩衝性が期待できる前記樹脂の発泡シートが用いられる。中でも、成形性がよくて保形性もよいポリスチレン系樹脂の発泡シートが好適に用いられる。ポリスチレン系樹脂の発泡シートの場合、通常、発泡倍率５〜２５倍、厚み０．５〜５ｍｍのものが用いられる。
【００３５】
上記した実施例の果実包装用容器Ａによれば、比較的大粒の苺等の果実Ｂを包装するのに使用するもので、この使用において、収納凹部１１を有する柔軟な発泡樹脂シートからなる緩衝用容器１０は、例えば１２個詰めの容器１０Ａと１５個詰めの容器１０Ｂのいずれかの容器を、果実Ｂの詰め合わせ個数に応じて選択して、保形性のある合成樹脂シートからなる支持容器２０と組み合わせ使用する。
【００３６】
この使用において、前記緩衝用容器１０は、１２個詰めの容器１０Ａ及び１５個詰めの容器１０Ｂのいずれの場合にも、その周縁部１３が前記支持容器２０の側壁部２３により受支されるとともに、内方部における収納凹部列ａ，ｂ間の部分が突出支持部２２により支持される。すなわち、収納凹部１１以外の非凹設部分１２もしくはその近傍の複数個所で前記支持容器２０に有する突出支持部２２の複数の頂部２２ａにより支持され、前記収納凹部１１が支持容器２０の底面２１から浮いた状態に保持される（図３〜６、及び図８，９）。
【００３７】
この支持状態においては、前記突出支持部２２が前記緩衝用容器１０の収納凹部列ａ，ｂ間で収納凹部１１の外側面に接触するだけであり、前記突出支持部２２が柔軟な前記緩衝用容器１０の収納凹部１１の弾力性を抑制したり、素材の弾力性を利用した収納凹部１１の膨らみや変位を規制することがない。そのため、輸送中の振動や衝撃に対して良好な緩衝効果を発揮できる。また、収納される果実の大きさや形状のバラつきにも容易に対応できる。
【００３８】
しかも、前記支持容器２０の突出支持部２２に有する複数の頂部２２ａのうちの少なくとも一つの頂部２２ａ−１が横長に形成されているため、この横長の頂部２２ａ−１が前記の支持状態において非凹設部分１２以外の個所に対して収納凹部列ａ，ｂに沿う方向に係止した状態になって、輸送中の振動等に伴う前記緩衝用容器１０の収納凹部列に沿う方向の動きを規制でき、該緩衝用容器１０を所定の位置に位置決めして安定性よく保持できる。
【００３９】
すなわち、前記支持容器２０における突出支持部２２が図のように縦方向に連続して形成され、該突出支持部２２の長手方向に間隔をおいて形成される頂部が通常の縦長のものであると、これにより支持した緩衝用容器１０が輸送中の振動等によって縦方向にずれ動く虞があるが、本発明の場合、前記のように突出支持部２２における少なくとも一つの頂部２２ａ−１を横長にして、非凹設部分１２以外の個所に係止する構造としたことにより、前記のようにずれ動きの虞なく安定性よく保持できる。
【００４０】
また、一種の支持容器２０に対して、緩衝用容器１０として、例えば１２個詰めの容器１０Ａ及び１５個詰めの容器１０Ｂ等の２種以上の容器の一種を選択的に使用できて、一種の前記支持容器２０を詰め合わせの個数の違うものに共通に使用できるため、詰め合わせ個数毎に戸別に成形された支持容器を準備する必要がなく、支持容器の種別を少なくでき、製造上において支持容器１０の成形金型の種別も少なくて済み、成形コストを抑えることができる。
【産業上の利用可能性】
【００４１】
本発明の果実包装用容器は、苺や枇杷、無花果等の果実を１個ずつ個装状態にして包装するための果実包装用容器に好適に使用できる。
【図面の簡単な説明】
【００４２】
【図１】本発明の果実包装用容器の実施例を示す緩衝用容器と支持容器とを分離した斜視図である。
【図２】同上の１２個詰めの緩衝用容器と支持容器の平面図である。
【図３】１２個詰めの緩衝用容器を支持容器に重ねた状態の一部を欠截した平面図である。
【図４】図３のIV−IV線の断面図である。
【図５】図３のV−V線の断面図である。
【図６】図３のVI−VI線の断面図である。
【図７】１５個詰めの緩衝用容器の斜視図である。
【図８】同緩衝用容器を支持容器に重ねた状態の一部を欠截した平面図である。
【図９】図７のIX−IX線の断面図である。
【符号の説明】
【００４３】
Ａ…果実包装用容器、Ｂ…果実、ａ，ｂ…収納凹部の列、１０…緩衝用容器、１０Ａ…１２個詰めの容器、１０Ｂ…１５個詰めの容器、１１…収納凹部、１２…非凹設部分、１３…周縁部、２０…支持容器、２１…底面、２２…突出支持部、２２ａ…頂部、２３…側壁部。
【図１】
2010064761.tif 000003
【図２】
2010064761.tif 000004
【図３】
2010064761.tif 000005
【図４】
2010064761.tif 000006
【図５】
2010064761.tif 000007
【図６】
2010064761.tif 000008
【図７】
2010064761.tif 000009
【図８】
2010064761.tif 000010
【図９】
2010064761.tif 000011